(57)【特許請求の範囲】
【請求項１】
折り部を介して連接され、封書形成時に折り重ねられる二片を有する封書シートと、この封書シートに剥離可能に接着された複写介在紙と、前記封書シートに分離可能に接着された封書内蔵用紙片とを備えてなる封書形成用複写シートであって、前記封書シートは、前記二片のうち一片の重ね合わせ面側における折り部に沿った縁を除いた三周縁には封緘用接着部を有し、この封緘用接着部を有する一片とは異なる一片の重ね合わせ面側には、情報複写記入部とこの情報複写記入部とは重ならない位置に封書内蔵用紙片接着部とを有してなり、前記複写介在紙は、前記封書シートの前記封緘用接着部または前記封書内蔵用紙片接着部の少なくとも一部に剥離可能に接着され、前記封書シートの情報複写記入部に対応位置する複写部を有してなり、前記封書内蔵用紙片は、前記複写介在紙の複写部の上に重ねられるとともに、前記封書シートの封書内蔵用紙片接着部の少なくとも一部に分離可能に接着され、表面側には情報記入部を有してなり、前記複写介在紙と前記封書シートの情報複写記入部の対接面に相対的に複写構造を設け、この複写構造は、前記封書内蔵用紙片の情報記入部に記入することで対応位置する前記封書シートの情報複写記入部に複写記入し得るとともに、前記複写介在紙を剥離すると前記封書シートの情報複写記入部への複写記入が不可能となるように構成したことを特徴とする封書形成用複写シート。
【請求項２】
折り部を介して連接され、封書形成時に折り重ねられる二片を有する封書シートと、この封書シートに剥離可能に接着された複写介在紙と、前記封書シートに分離可能に接着された封書内蔵用紙片とを備えてなる封書形成用複写シートであって、前記封書シートは、前記二片のうち一片の重ね合わせ面側における折り部に沿った縁を除いた三周縁には封緘用接着部を有し、この封緘用接着部を有する一片とは異なる一片の重ね合わせ面側には、情報複写記入部とこの情報複写記入部とは重ならない位置に封書内蔵用紙片接着部とを有してなり、前記複写介在紙は、前記封書シートの前記封緘用接着部または前記封書内蔵用紙片接着部の少なくとも一部に剥離可能に接着され、前記封書シートの情報複写記入部に対応位置する複写部を有するとともに、この複写部の表面側には情報複写記入部を有してなり、前記封書内蔵用紙片は、前記複写介在紙の上に複写部の情報複写記入部に対応するよう重ねられるとともに、前記封書シートの封書内蔵用紙片接着部の少なくとも一部に分離可能に接着され、表面側には情報記入部を設けてなり、前記封書内蔵用紙片と前記複写介在紙の対接面及び前記複写介在紙と前記封書シートの対接面に、それぞれ相対的に複写構造を設け、この複写構造は、前記封書内蔵用紙片の情報記入部に記入することで対応位置する複写介在紙と前記封書シートのそれぞれの情報複写記入部に複写記入し得るとともに、前記複写介在紙を剥離すると前記封書シートの情報複写記入部への複写記入が不可能となるように構成したことを特徴とする封書形成用複写シート。
【発明の詳細な説明】
【０００１】
【発明の属する技術分野】
本発明は、封書形成用複写シートに関し、特に、必要事項を複写記入して各種依頼書等とその控えを得るとともに、封書を形成し得る封書形成用複写シートに関する。
【０００２】
【従来の技術】
従来、郵送による各種申込の依頼においては、郵送料が封書に比べて安価であるので、葉書形態の依頼書を使用しているのが一般的であり、必要事項を記入して通常の葉書と同様に投函している。この依頼書を受領した取り扱い会社では、事務処理のために控えが必要となるが、葉書形態の場合には複写記入する控えを設けることは困難なので、依頼書をコピーして控えとしている。例えば、口座振替依頼書の場合には、依頼書原本は銀行などの金融機関に送らなければならないので、必ず各依頼書のコピーをとらなければならない。
【０００３】
【発明が解決しようとする課題】
このため、葉書形態を採用した従来例によると、控えをとるためのコピー作業が繁雑であるという不都合があった。一方、封書形態を採用すれば複写記入による控えを依頼書とともに郵送するのは容易であるが、郵送途上で、封書外部から圧力が加わると、複写構造によって不必要な線などが控えに複写記入され、この余分な記入によって控えとして使用できない事態も起こるという新たな不都合を生じる。本発明は、このような不都合を解消した、封書形成用複写シートを提供することを目的とする。
【０００４】
【課題を解決するための手段】
この目的を達成するために、本発明の請求項１に記載した封書形成用複写シートは、折り部を介して連接され、封書形成時に折り重ねられる二片を有する封書シートと、この封書シートに剥離可能に接着された複写介在紙と、前記封書シートに分離可能に接着された封書内蔵用紙片とを備えてなる封書形成用複写シートであって、前記封書シートは、前記二片のうち一片の重ね合わせ面側における折り部に沿った縁を除いた三周縁には封緘用接着部を有し、この封緘用接着部を有する一片とは異なる一片の重ね合わせ面側には、情報複写記入部とこの情報複写記入部とは重ならない位置に封書内蔵用紙片接着部とを有してなり、前記複写介在紙は、前記封書シートの前記封緘用接着部または前記封書内蔵用紙片接着部の少なくとも一部に剥離可能に接着され、前記封書シートの情報複写記入部に対応位置する複写部を有してなり、前記封書内蔵用紙片は、前記複写介在紙の複写部の上に重ねられるとともに、前記封書シートの封書内蔵用紙片接着部の少なくとも一部に分離可能に接着され、表面側には情報記入部を有してなり、前記複写介在紙と前記封書シートの情報複写記入部の対接面に相対的に複写構造を設け、この複写構造は、前記封書内蔵用紙片の情報記入部に記入することで対応位置する前記封書シートの情報複写記入部に複写記入し得るとともに、前記複写介在紙を剥離すると前記封書シートの情報複写記入部への複写記入が不可能となるように構成したものである。
【０００５】
また、本発明の請求項２に記載した封書形成用複写シートは、折り部を介して連接され、封書形成時に折り重ねられる二片を有する封書シートと、この封書シートに剥離可能に接着された複写介在紙と、前記封書シートに分離可能に接着された封書内蔵用紙片とを備えてなる封書形成用複写シートであって、前記封書シートは、前記二片のうち一片の重ね合わせ面側における折り部に沿った縁を除いた三周縁には封緘用接着部を有し、この封緘用接着部を有する一片とは異なる一片の重ね合わせ面側には、情報複写記入部とこの情報複写記入部とは重ならない位置に封書内蔵用紙片接着部とを有してなり、前記複写介在紙は、前記封書シートの前記封緘用接着部または前記封書内蔵用紙片接着部の少なくとも一部に剥離可能に接着され、前記封書シートの情報複写記入部に対応位置する複写部を有するとともに、この複写部の表面側には情報複写記入部を有してなり、前記封書内蔵用紙片は、前記複写介在紙の上に複写部の情報複写記入部に対応するよう重ねられるとともに、前記封書シートの封書内蔵用紙片接着部の少なくとも一部に分離可能に接着され、表面側には情報記入部を設けてなり、前記封書内蔵用紙片と前記複写介在紙の対接面及び前記複写介在紙と前記封書シートの対接面に、それぞれ相対的に複写構造を設け、この複写構造は、前記封書内蔵用紙片の情報記入部に記入することで対応位置する前記封書シートの情報複写記入部に複写記入し得るとともに、前記複写介在紙を剥離すると前記封書シートの情報複写記入部への複写記入が不可能となるように構成したものである。
【０００６】
【発明の実施の形態】
以下、添付図面の図１〜図５に基づいて、本発明を口座振替依頼書とその控えを内蔵して送付するシートに適用した場合の第１の実施形態を説明する。ここにおいて、図１は封書形成用複写シートの概略的な平面図、図２はその分解斜視図、図３は図１のＡ−Ａ線断面図、図４は作成した封書の概略的な平面図、図５はそのＢ−Ｂ線断面図である。
【０００７】
図１〜図３に示すように、封書形成用複写シート１は、封書シート２と、複写介在紙３と、封書内蔵用紙片たる口座振替依頼書４とからなる。前記封書シート２は、折り部たる折り兼切り用ミシン目５を介して連接され、封書形成時に前記折り兼切り用ミシン目５で折り重ねられる左片６と右片７の二片を有し、各片６，７の前記折り兼切り用ミシン目５側を除く三周縁には、細い帯状に粘着剤８ａ，８ｂを塗布している。
【０００８】
そして、左片６に設けた粘着剤８ａが封緘用接着部を構成し、右片７に設けた粘着剤８ｂは、口座振替依頼書４の裏面側を接着するためのものである。また、前記各粘着剤８ａ，８ｂ塗布部分の内側に沿って、開封用ミシン目９ａ，９ｂ，９ｃ，９ｄを折り兼切り用ミシン目５を対称軸として線対称に設け、右片７における開封用ミシン目９ｂの内側には各粘着剤８ａ，８ｂと同様の粘着剤１０を細い帯状に塗布するとともに、さらにその内側に切り用ミシン目１１を設けている。なお、前記粘着剤８ｂと前記粘着剤１０とによって封書内蔵用紙片接着部を構成する。
【０００９】
また、図２に示すように、右片７の重ね合わせ面には、「口座振替依頼書」と表示した標題１２の下に、情報複写記入部として、申込年月日複写記入欄１３、銀行名、支店名、口座番号及び口座名義人を複写記入する申込情報複写記入欄１４、申込者の氏名捺印を複写記入する申込者名捺印複写記入欄１５を設けている。この右片７の重ね合わせ面と反対面側は、封書形成時に表出する宛名表示面となり、図４で理解できるようにあらかじめ宛名表示１６が印刷されている。
【００１０】
図３に示すように、封書シート２の粘着剤８ａに対応する縁部に剥離剤１７を設けた複写介在紙３を、前記粘着剤８ａによって前記封書シート２に剥離可能に接着している。図２及び図３に示すように、前記複写介在紙３は前記封書シート２の左片６とほぼ同一大で表面側には口座振替に関する案内文１８を記載し、裏面側には前記剥離剤１７を設けた案内文記載部３ａと、右片７より一回り小さく、各開封用ミシン目９ｂ，９ｃ，９ｄの内側に位置する複写部３ｂとからなる。複写部３ｂの裏面側、すなわち前記右片７との対接面側には複写構造としてカーボン複写層１９を設けている。
【００１１】
図１〜図３に示すように、口座振替依頼書４は、右片７とほぼ同一大で、複写介在紙３の複写部３ｂに重ねられ、各粘着剤８ｂ，１０によって前記右片７に接着され、前記右片７の各開封用ミシン目９ｂ，９ｃ，９ｄと切り用ミシン目１１にそれぞれ対応するよう設けた切り用ミシン目２０ｂ，２０ｃ，２０ｄと切り用ミシン目２１で分離可能となっている。
【００１２】
図１及び図２に示すように、口座振替依頼書４の表面側には、「口座振替依頼書」と表示した標題２２の下に、情報記入部として、申込年月日記入欄２３、銀行名、支店名、口座番号及び口座名義人を記入する申込情報記入欄２４，申込者の氏名を記入して捺印する申込者名捺印記入欄２５を設けている。そして、口座振替依頼書４の前記各記入欄２３，２４，２５に記入、捺印することで対応位置する右片７の各複写記入欄１３，１４，１５に、複写部３ｂのカーボン複写層１９の作用で複写記入することができる。
【００１３】
本実施形態は以上のように構成したので、図１及び図３状態において、口座振替申込者が案内文１８にしたがって、口座振替依頼書４の申込年月日記入欄２３、申込情報記入欄２４、申込者名捺印記入欄２５に所定の情報を記入し、捺印すると、右片７のそれぞれ対応する申込年月日複写記入欄１３、申込情報複写記入欄１４、申込者名捺印複写記入欄１５に同一事項が複写される。
【００１４】
次いで申込者が、複写介在紙３を剥離し、折り兼切り用ミシン目５で右片７を左片６側に折り重ねると、露出した粘着剤８ａによって前記左片６と口座振替依頼書４の表面側の三周縁が接着され、図４及び図５に示すように、口座振込依頼書４を内蔵した封書２６が作成される。
【００１５】
この状態においては、図５で理解できるように、複写部３ｂの裏面側にカーボン複写層１９を設けた複写介在紙３が存在しないので、取扱中に外部から圧力が加わっても右片７の各複写記入欄１３，１４，１５に不要な線などが複写記入されることはない。また、作成した封書２６はあらかじめ宛名表示１６が印刷されているので、通常の封書と同様に投函することができる。
【００１６】
一方、封書２６を受領した宛名会社では、開封用ミシン目９ａ，９ｂ，９ｃ，９ｄを破断して封書２６を開封し、切り用ミシン目２１を破断して口座振込依頼書４を分離する。そして、分離した前記口座振替依頼書４は記載された指定銀行に送付し、折り兼切り用ミシン目５及び切り用ミシン目１１を破断して右片７を自社用の控えとし、これを保管するものである。
【００１７】
続いて、図６及び図７に基づき複写構造に関する第２、第３の実施形態を説明するが、複写構造以外の構成及び使用方法は上述した第１の実施形態と同様なので、対応する構成要素に同一符号を付すに止め、詳細な説明については省略する。
【００１８】
まず、図６に示す封書形成用複写シート３１は、複写介在紙３の複写部３ｂに、その裏面側に設けたカーボン複写層１９に加えて、表面側には顕色剤層３２を設け、これと対接する口座振替依頼書４の裏面側に染色剤内包マイクロカプセル層３３を設けたものである。また、複写介在紙３の案内文記載部３ａと複写部３ｂとの境には、折り兼切り用ミシン目５と対応する位置に切り用ミシン目３４を設けている。
【００１９】
そして、図示していないが、複写部３ｂの表面側に、右片７におけると同様に複写記入部として口座振替依頼書４の各記入欄２３，２４，２５に上下に対応位置するように、申込年月日複写記入欄、銀行名、支店名、口座番号及び口座名義人を複写記入する申込情報複写記入欄，申込者の氏名及び捺印を複写記入する申込者名捺印複写記入欄を設けている。
【００２０】
したがって、この第２の実施形態においては、右片６の重ね合わせ面のみならず、複写部３ｂの表面にも口座振替依頼書４に記入した事項を複写記入することができるので、複写記入した前記複写介在紙３を剥離し、切り用ミシン目３４を破断して、複写部３ｂを口座振替申込者の控えとすることができる。また、前記複写介在紙３を剥離すると、前記口座振替依頼書４の裏面側に設けた染色剤内包マイクロカプセル層３３のみが残るので、右片７への複写記入は不可能となる。
【００２１】
次に、図７に示す封書形成用複写シート４１は、複写介在紙３の複写部３ｂの裏面側にはカーボン複写層１９に替えて染色剤内包マイクロカプセル層４２を設け、これと対接する右片７の表面側には顕色剤層４３を設ける一方、前記複写部３ｂの表面側には自己発色剤層４４を設けたものである。また、複写介在紙３の案内文記載部３ａと複写部３ｂとの境には、折り兼切り用ミシン目５と対応する位置に切り用ミシン目４５を設けている。そして、図示していないが、複写介在紙３の表面側に、右片７におけると同様に複写記入部として口座振替依頼書４の各記入欄２３，２４，２５に上下に対応位置するように、申込年月日複写記入欄、銀行名、支店名、口座番号及び口座名義人を複写記入する申込情報複写記入欄，申込者の氏名及び捺印を複写記入する申込者名捺印複写記入欄を設けている。
【００２２】
したがって、この第３の実施形態においても、第２の実施形態と同様に、右片７の重ね合わせ面のみならず、複写部３ｂの表面にも口座振替依頼書４に記入した事項を複写記入することができるので、複写記入した前記複写介在紙３を剥離し、切り用ミシン目４５を破断して、複写部３ｂを口座振替申込者の控えとすることができる。また、前記複写介在紙３を剥離すると、前記右片７の表面側である重ね合わせ面に設けた顕色剤層４３のみが残るので、前記右片７への複写記入は不可能となる。
【００２３】
なお、本発明は上述した各実施形態に限定されるものではなく、例えば、口座振替依頼書４と封書シート２の右片７に設けた切り用ミシン目２１，１１と粘着剤１０を設けずに、各開封用ミシン目９ａ，９ｂ，９ｃ，９ｄを破断することで、封書２６の開封とともに前記口座振込依頼書４を分離するように構成してもよい。また、粘着剤８ｂ，１０に替えて一般的な接着剤を使用して、口座振替依頼書４を右片７に接着するよう構成してもよい。
【００２４】
さらに、案内文記載部３ａは必ずしも必要ではなく、案内文１８を左片６の重ね合わせ面に印刷する一方、複写部３ｂのみとなった複写介在紙３は、その三周縁を粘着剤１０と上縁部分を除いた粘着剤８ｂに剥離可能に接着し、口座振替依頼書４はその上端を上縁部分の粘着剤８ｂに接着しておき、複写介在紙３を剥離した後、露出した粘着剤１０，８ｂで確実に接着するよう構成することもできる。またさらに、封書内蔵用紙片は、口座振替依頼書４に限らず、控えを必要とする各種依頼書に適用可能である。さらにまた、宛名表示１６は左片６の表出面側に設けてもよい。
【００２５】
【発明の効果】
以上説明したように、本願発明の請求項１に記載した封書形成用複写シートによれば、依頼書に記入することで複写記入した控えを得られるので、取扱会社で自社用の控えをコピーして作成する手間がいらず簡便であり、また、封書内に依頼書を入れた状態で送付できるので、申込者のプライバシーを保護することができ、さらに、送付時には封書内に複写構造が存在しないので、取り扱い時に不要な線などが複写されることがなく、常に適正な控えを得ることができ、またさらに、封書内に備え付けの依頼書に加えて他の書類も同封可能であるという多くの効果を奏する。
【００２６】
また、本願発明の請求項２に記載した封書形成用複写シートによれば、上述の効果に加えて、申込者用の控えも作成できるという効果を奏する。
【図面の簡単な説明】
【図１】  封書形成用複写シートの第１実施形態を示す概略的な平面図。
【図２】  同じく分解斜視図。
【図３】  図１のＡ−Ａ線断面図。
【図４】  作成した封書の概略的な平面図。
【図５】  図４のＢ−Ｂ線断面図。
【図６】  封書形成用複写シートの第２の実施形態を示す概略的な断面図。
【図７】  封書形成用複写シートの第３の実施形態を示す概略的な断面図。
【符号の説明】
１，３１，４１      封書形成用複写シート
２      封書シート
３      複写介在紙
３ａ      案内文記載部
３ｂ      複写部
４      口座振替依頼書
５      折り兼切り用ミシン目
６      左片
７      右片
８ａ，８ｂ，１０      粘着剤
９ａ，９ｂ，９ｃ，９ｄ      開封用ミシン目
１１，２０ｂ，２０ｃ，２０ｄ，２１      切り用ミシン目
１２，２２      標題
１３      申込年月日複写記入欄
１４      申込情報複写記入欄
１５      申込者氏名捺印複写記入欄
１６      宛名表示
１７      剥離剤
１９      カーボン複写層
２３      申込年月日記入欄
２４      申込情報記入欄
２５      申込者名捺印記入欄
２６      封書
３２，４３      顕色剤層
３３，４２      染色剤内包マイクロカプセル層
３４，４５      切り用ミシン目
４４      自己発色剤層
【図１】
0004039823.tif 000002
【図２】
0004039823.tif 000003
【図３】
0004039823.tif 000004
【図４】
0004039823.tif 000005
【図５】
0004039823.tif 000006
【図６】
0004039823.tif 000007
【図７】
0004039823.tif 000008